(57)【特許請求の範囲】
【請求項１】
通電プラグ用の受け部を備えたレセプタクルであって、前記受け部を備えるコネクタボックスと、該コネクタボックスを上方から下方へ差し込んで収納するコネクタボックス収納箱とを備え、前記コネクタボックス収納箱は、上方が開口した箱状の外枠部と、該外枠部の内部に位置して底板及び両側板で形成される内枠部と備え、外枠部と内枠部をバネにより接続して、外枠部と内枠部の間に一定の間隔を保つよう外枠部の内部に内枠部を支持し、
前記コネクタボックス収納箱に前記コネクタボックスを収納した際には、受け部が露出するよう構成したことを特徴とするレセプタクル。
【請求項２】
内枠部の上端に内方から上側外方へ拡がるガイド部を設けた請求項１に記載のレセプタクル。
【請求項３】
コネクタボックスの上端面に、マニピュレータにより把持し得る取っ手部を備えた請求項１又は２に記載のレセプタクル。
【発明の詳細な説明】
【０００１】
【発明の属する技術分野】
本発明は、機器の通電プラグが接続されるレセプタクルに関するものである。
【０００２】
【従来の技術】
原子力プラントや化学工場で放射線や有毒ガスにより人が立ち入ることができない区域において、測定機具等の機器に電気が通じるよう機器の通電プラグをレセプタクルに接続する際には、図５、図６に示すごとくマニピュレータ１を用いて遠隔操作によりレセプタクル２と通電プラグ３を接続している。
【０００３】
レセプタクル２は、平板状の土台４に筒状の受け部５を備えており、受け部５の内部には電源に通じるコンタクトピン６を突設している。又、レセプタクル２は、土台の四隅に設けられた孔７にボルト８を挿通して、壁、ボックス、架台等の側面９にボルト締結されている。
【０００４】
レセプタクル２に接続される通電プラグ３は、略９０゜の角度で湾曲した胴部１０の一端に、機器から延在するケーブル１１を締結するケーブル締結部１２を備え、且つ、他端には、レセプタクル２の筒状の受け部５に合致する環状の溝とコンタクトピン６に嵌合するコンタクトソケットとを設けた接続部１３を備えている。又、胴部の湾曲部には、接続部１３と略直線上に延在する保持部１４が設けられている。
【０００５】
レセプタクル２に通電プラグ３を遠隔操作により接続する際には、図６の如く、通電プラグ３の保持部１４をマニピュレータ１により保持し、通電プラグ３の接続部１３をレセプタクル２の受け部５の軸線に合せて挿入し、通電プラグ３とレセプタクル２を接続することができる。
【０００６】
【発明が解決しようとする課題】
しかしながら、通電プラグ３をレセプタクル２に接続する際には、通電プラグ３の接続部１３をレセプタクル２の受け部の軸線に完全に合致させることが必要であるため、軸線が僅かにずれている場合であっても、通電プラグ３がレセプタクル２に接続することができない虞れがあり、又、遠隔操作により通電プラグ３を移動させるため軸線を合わせることが困難であるという問題があった。
【０００７】
本発明は、通電プラグの接続部がレセプタクルの受け部の軸線から若干ずれても接続することができるレセプタクルを提供することを目的とするものである。
【０００８】
【課題を解決するための手段】
第１の発明のレセプタクルは、通電プラグ用の受け部を備えたレセプタクルであって、前記受け部を備えるコネクタボックスと、該コネクタボックスを上方から下方へ差し込んで収納するコネクタボックス収納箱とを備え、前記コネクタボックス収納箱は、上方が開口した箱状の外枠部と、該外枠部の内部に位置して底板及び両側板で形成される内枠部と備え、外枠部と内枠部をバネにより接続して、外枠部と内枠部の間に一定の間隔を保つよう外枠部の内部に内枠部を支持し、
前記コネクタボックス収納箱に前記コネクタボックスを収納した際には、受け部が露出するものである。
【０００９】
又、第１の発明において、内枠部の上端に内方から上側外方へ拡がるガイド部を設けることが好ましく、更に、コネクタボックスの上端面に、マニピュレータにより把持し得る取っ手部を備えることが好ましい。
【００１０】
第１の発明の場合には、コネクタボックスをコネクタボックス収納箱に上方から下方に差し込むことによって収納し、若しくはコネクタボックスを上方へ引き抜くことによって取外すことができる。又、通電プラグをコネクタボックスに接続する際には通電プラグの接続部の軸線がコネクタボックスの受け部に対して若干ずれている場合であっても、コネクタボックスの受け部が通電プラグの接続部にガイドされてバネに支持される内枠部と共にコネクタボックスが移動し、コネクタボックスの受け部に通電プラグの接続部の軸線が合致して通電プラグをコネクタボックスに接続することができる。更に、接続後には、コネクタボックス収納箱のバネの弾性力によりコネクタボックスは通電プラグを伴って本来の位置に戻ることができる。
【００１１】
第１の発明において、内枠部の上端に内方から上側外方へ拡がるガイド部を設けると、遠隔操作においてコネクタボックスをコネクタボックス収納箱の上方から下方に下げて収納する際にコネクタボックスがコネクタボックス収納箱の上方の収納位置から多少ずれても、コネクタボックスがガイド部により修正されて正確な位置に誘導され、コネクタボックスをコネクタボックス収納箱に確実に収納することができる。
【００１２】
第１の発明において、コネクタボックスの上端面に取っ手部を備えると、マニピュレータにより把持することができる。
【００１３】
【発明の実施の形態】
以下、本発明の実施の形態を図示例と共に説明する。
【００１４】
【００１５】
【００１６】
【００１７】
【００１８】
【００１９】
【００２０】
図１〜図４は、本発明の実施の形態の第一の例を示すレセプタクル２８である。
【００２１】
第一の例のレセプタクル２８は、通電プラグを接続するコネクタボックス２９と、コネクタボックス２９を収納するコネクタボックス収納箱３０から構成されるものである。
【００２２】
コネクタボックス２９は立方体の中央部に筒状の受け部３１を備え、上端面には取っ手部３２を取りつけており、受け部３１の内部にはコンタクトピン３３を突設している。コンタクトピン３３は、連結金具３４に連結されてコネクタボックス２９の裏面より延在するケーブル３５を介して電源に通じている。なお、コネクタボックス２９に接続される通電プラグは、従来例と略同様に構成されている。
【００２３】
コネクタボックス収納箱３０は、底板３６及び両側板３７，３７で構成されコネクタボックス２９の下面３８及び側面３９に略合致する内枠部４０と、上方が開口し内枠部４０より一回り大きく形成された箱状の外枠部４１とからなり、内枠部４０の外面と外枠部４１の内面をバネ４２により接続して、外枠部４１と内枠部４０との間に一定の間隔を有するよう外枠部４１が内枠部４０を支持している。又、内枠部４０の上端には、内方から上側外方へ拡がるガイド部４３を設けている。
【００２４】
コネクタボックス収納箱３０の正面板４４には、図１に示すごとく、コネクタボックス２９の筒状の受け部３１の邪魔にならないよう上方中央から下方へ切込みが入っており、裏面板４５にも、同様にケーブル３５の邪魔にならないよう上方中央から下方へ切込みが入っている。
【００２５】
以下、本発明の実施の形態の第一の例の作用を説明する。
【００２６】
コネクタボックス２９は、取っ手部３２をマニピュレータにより把持されて、コネクタボックス収納箱３０に上方から下方に差し込まれ、若しくは、コネクタボックス２９をコネクタボックス収納箱３０から上方へ引き抜かれ、結果として、遠隔操作によりコネクタボックス２９をコネクタボックス収納箱３０に収納し、若しくはコネクタボックス２９をコネクタボックス収納箱３０から取外すことができる。
【００２７】
又、コネクタボックス収納箱３０の内枠部４０の上端には内方から上側外方へ拡がるガイド部４３を設けているため、遠隔操作においてコネクタボックス２９をコネクタボックス収納箱３０の上方から下方に下げて収納する際にコネクタボックス２９がコネクタボックス収納箱３０の上方の収納位置から多少ずれても、コネクタボックス２９がガイド部４３により修正されて正確な位置に誘導され、コネクタボックス２９をコネクタボックス収納箱３０に確実に収納することができる。
【００２８】
更に、コネクタボックス２９に通電プラグを遠隔操作により接続する際には、予めコネクタボックス２９をコネクタボックス収納箱３０に収納し、通電プラグをマニピュレータによって保持してコネクタボックス２９の受け部の軸線に略合致するように移動させる。このとき、通電プラグの接続部の軸線がコネクタボックス２９の受け部３１に対して若干ずれていても、コネクタボックス２９の受け部３１が通電プラグの接続部にガイドされてバネ４２に支持される内枠部４０と共にコネクタボックス２９が移動し、コネクタボックス２９の受け部３１に通電プラグの接続部の軸線が合致して通電プラグをコネクタボックス２９に接続することができる。更に又、接続後には、コネクタボックス収納箱３０のバネ４２の弾性力によりコネクタボックス２９は通電プラグを伴って本来の位置に戻ることができる。
【００２９】
尚、第一の例のレセプタクル２８は、上述の実施例にのみ限定されるものではなく、本発明の要旨を逸脱しない範囲内において種々変更を加え得ることは勿論である。
【００３０】
【発明の効果】
本発明のレセプタクルによれば、下記のごとき、種々の優れた効果を奏し得る。
【００３１】
Ｉ）請求項１によれば、コネクタボックスをコネクタボックス収納箱に上方から下方に差し込むことによって収納し、若しくはコネクタボックスを上方へ引き抜くことによって取外すことができる。又、通電プラグをコネクタボックスに接続する際には通電プラグの接続部の軸線がコネクタボックスの受け部に対して若干ずれている場合であっても、コネクタボックスの受け部が通電プラグの接続部にガイドされてバネに支持される内枠部と共にコネクタボックスが移動し、コネクタボックスの受け部に通電プラグの接続部の軸線が合致して通電プラグをコネクタボックスに接続することができる。更に、接続後には、コネクタボックス収納箱のバネの弾性力によりコネクタボックスは通電プラグを伴って本来の位置に戻ることができる。
【００３２】
ＩＩ）請求項２によれば、遠隔操作においてコネクタボックスをコネクタボックス収納箱の上方から下方に下げて収納する際にコネクタボックスがコネクタボックス収納箱の上方の収納位置から多少ずれても、コネクタボックスがガイド部により修正されて正確な位置に誘導され、コネクタボックスをコネクタボックス収納箱に確実に収納することができる。
【００３３】
ＩＩＩ）請求項３によれば、コネクタボックスの上端面に取っ手部を備えるので、マニピュレータにより把持することができる。
【図面の簡単な説明】
【図１】  本発明のレセプタクルの実施の形態の第一の例を示す正面図である。
【図２】  本発明のレセプタクルの第一の例において蓋部を取外した状態の正面図である。
【図３】  図１のＩＩＩ−ＩＩＩ方向の矢視図である。
【図４】  図１のＩＶ−ＩＶ方向の矢視図である。
【図５】  従来のレセプタクルの正面図である。
【図６】  従来のレセプタクルにマニピュレータを用いて通電プラグを接続する状態図である。
【符号の説明】
２８  レセプタクル
２９  コネクタボックス
３０  コネクタボックス収納箱
３１  受け部
３２ 取っ手部
３６  底板
３７  両側板
４０  内枠部
４１  外枠部
４２  バネ
４３  ガイド部
【図１】
0004085482.tif 000002
【図２】
0004085482.tif 000003
【図３】
0004085482.tif 000004
【図４】
0004085482.tif 000005
【図５】
0004085482.tif 000006
【図６】
0004085482.tif 000007